(57)【要約】【課題】磁気ディスクに対する高精度な記録・再生を実現する。【解決手段】最上面より低い（＋１レベルの高さ）の一対の畝部７４ａ，７４ｂが、空気ベアリング表面７６ａ，７６ｂから磁気ヘッドスライダ１６の流出側の端部まで連通して形成され、当該一対の畝部の流出側の端部間が、＋１レベルの面を含む連結部７２により連結されているので、一対の畝部と連結部とにより、＋１レベルの面を広く確保することができる。これにより、磁気ヘッドスライダが、磁気ディスク上にロードされるときの浮上力を従来よりも大きく確保し、磁気ヘッドスライダと磁気ディスクとの接触及び損傷を抑制する。また、最上面（＋２レベルの面）を増やさないことにより、浮上状態での圧力の増大を抑制し、安定した浮上特性を得る。【選択図】図３
2010049744.tif 000002
【特許請求の範囲】
【請求項１】
第１軸方向及び該第１軸方向に交差する第２軸方向に広がるベース面と、
前記ベース面上で前記第２軸方向に離れて配置された前記ベース面から所定高さに位置する浮上面を有する一対のサイドパッドと、
前記各サイドパッドから前記ベース面の前記第１軸方向一端部まで連通して形成された、前記ベース面と前記浮上面の間の高さの面を含む一対の畝部と、
前記一対の畝部の前記第１軸方向一端部間を連結する、前記ベース面と前記浮上面の間の高さの面を含む連結部と、を備えるヘッドスライダ。
【請求項２】
前記連結部は、その一部に前記浮上面と同一高さの部分を有することを特徴とする請求項１に記載のヘッドスライダ。
【請求項３】
前記一対のサイドパッド間を連結する、前記第２軸方向に延びる前記浮上面と同一高さの面を含むパッド連結部を更に備える請求項１又は２に記載のヘッドスライダ。
【請求項４】
請求項１〜３のいずれか一項に記載のヘッドスライダと、
前記ヘッドスライダの前記連結部の一部に設けられた磁気ヘッドと、を備える磁気ヘッドスライダ。
【請求項５】
磁気記憶媒体と、
前記磁気記憶媒体上を浮上して、前記磁気記憶媒体に対する情報の記録・再生を行う請求項４に記載の磁気ヘッドスライダと、を備える磁気記憶装置。
【発明の詳細な説明】
【技術分野】
【０００１】
本発明は、ヘッドスライダ、磁気ヘッドスライダ及び磁気記憶装置に関し、特に磁気記憶装置に用いて好適なヘッドスライダ、当該ヘッドスライダを具備する磁気ヘッドスライダ及び磁気記憶装置に関する。
【背景技術】
【０００２】
従来より、磁気ディスク装置は、回転可能な磁気記憶媒体（磁気ディスク）と記録再生素子を搭載している。記録再生素子は、ヘッド支持機構に支持された磁気ヘッドスライダによって保持されており、当該磁気ヘッドスライダは、磁気ディスクの所望の位置に位置決めされる。
【０００３】
また、磁気ヘッドスライダには、空気軸受け面が形成され、磁気ディスクの回転によって生じる動圧により、磁気ディスクに対して一定の間隙を保って浮上する。この浮上状態で、磁気ヘッドは、磁気ディスクに対して情報を記録したり、磁気ディスクに記録された情報を読み取ったりする。
【０００４】
また、磁気ディスク装置には、磁気ディスクの静止時にヘッドスライダを磁気ディスク表面から隔離した位置に退避させ、ヘッドスライダと磁気ディスクとの接触を防ぐロードアンロード機構（ランプ機構とも呼ばれる）を備えるものも存在している。このランプ機構を有する磁気ディスク装置では、ランプ機構に退避していたヘッドスライダが磁気ディスク上にロードされるときに充分な浮上力が確保されないと、ヘッドスライダと磁気ディスクとの間に接触が生じてしまうおそれがある。また、この接触は、磁気ディスク表面の損傷を引き起こし、最悪の場合、記録した情報の再生ができなくなる恐れがある。
【０００５】
図１２（ａ）には、従来のヘッドスライダ１０００の空気軸受け面(浮上面)の形状が斜視図にて示されている。この従来のヘッドスライダ１０００は、空気流入側に配置されたフロントレール２０１と、空気流出側に配置された一対のリアサイドレール２０２ａ，２０２ｂと、磁気ヘッド２０３を保持するリアセンタレール２０４とを有している。また、従来は、図１２（ａ）に示すヘッドスライダのロード時の浮上力を確保するために、図１２（ｂ）に示すヘッドスライダ１１００のように、空気流出側に位置するサイドレール２０２ａ，２０２ｂの最上面（浮上面）の面積を広く取ることとしていた（なお、以下においては、図１２（ｂ）に示す例を「従来の改善例」と呼ぶものとする）。このようにすることで、スクイーズ効果が生じる面積を広く確保することができ、これにより空気抵抗が増し、ロード時の浮上力を確保することが可能となる。
【０００６】
しかしながら、上記従来の改善例の構造では、磁気ディスクに対する記録・再生状態（浮上状態）において、圧力が発生する面積が増加してしまうため、磁気ディスクに対する追従性が悪化し、安定した浮上特性を得ることが困難である。更に、近年においては、ヘッドスライダと磁気ディスクとの間隙の狭小化が加速してきているため、磁気ディスクのうねりによる浮上変化の影響は無視できないものになってきている。
【０００７】
これに対し、特許文献１にはロード時の浮上力を得るために、スライダ浮上面上の幅方向両端付近にあるパッド部分から、最上面と最下面との間の高さに相当する面を延長する構造が開示されている。
【０００８】
【特許文献１】米国特許出願公開第２００７／００９１５０６号明細書
【発明の開示】
【発明が解決しようとする課題】
【０００９】
しかしながら、上記特許文献１に記載の構成を採用したとしても、ロード時に必要とする浮上力を十分に得ることができない可能性がある。したがって、最近では、ロード時に必要とする浮上力を確保でき、かつ記録再生時において安定した浮上特性を得ることが可能なヘッドスライダの出現が待望されている。
【００１０】
そこで、本発明は上記課題に鑑みてなされたものであり、ロード時に必要とする浮上力を確保し、記録再生時における安定した浮上特性を得ることが可能なヘッドスライダ及び磁気ヘッドスライダを提供することを目的とする。また、磁気記憶媒体への高精度な記録再生が可能な磁気記憶装置を提供することを目的とする。
【課題を解決するための手段】
【００１１】
本明細書記載のヘッドスライダは、第１軸方向及び該第１軸方向に交差する第２軸方向に広がるベース面と、前記ベース面上で前記第２軸方向に離れて配置された前記ベース面から所定高さに位置する浮上面を有する一対のサイドパッドと、前記各サイドパッドから前記ベース面の前記第１軸方向一端部まで連通して形成された、前記ベース面と前記浮上面の間の高さの面を含む一対の畝部と、前記一対の畝部の前記第１軸方向一端部間を連結する、前記ベース面と前記浮上面の間の高さの面を含む連結部と、を備えている。
【００１２】
これによれば、ベース面と浮上面の間の高さの面を含む一対の畝部が、一対のサイドパッドからベース面の第１軸方向一端部まで連通して形成され、当該一対の畝部の第１軸方向一端部間が、ベース面と浮上面の間の高さの面を含む連結部により連結されているので、一対の畝部と連結部とにより、ベース面と浮上面の間の高さの面を広く確保することができる。これにより、ヘッドスライダが回転する平板部材（例えば磁気ディスク）上にロードされるときの浮上力を従来よりも大きく確保することができる。また、浮上面を増やさないこととすることで平板部材（例えば磁気ディスク）に対して浮上した状態での圧力の増大を抑制することができ、安定した浮上特性を得ることが可能となる。
【００１３】
本明細書記載の磁気ヘッドスライダは、本明細書記載のヘッドスライダと、前記ヘッドスライダの前記連結部の一部に設けられた磁気ヘッドと、を備えている。
【００１４】
これによれば、本明細書記載のヘッドスライダを備えているので、ヘッドスライダが回転する磁気ディスク上にロードされるときの浮上力を従来よりも大きく確保することができる。また、浮上面を増やさないこととすることで磁気ディスクに対して浮上した状態での圧力の増大を抑制することができ、安定した浮上特性を得ることが可能となる。
【００１５】
本明細書記載の磁気記憶装置は、磁気記憶媒体と、前記磁気記憶媒体上を浮上して、前記磁気記憶媒体に対する情報の記録・再生を行う本明細書記載の磁気ヘッドスライダと、を備えている。
【００１６】
これによれば、ロード時における磁気ヘッドスライダの浮上力が大きいことから磁気ヘッドスライダと磁気記憶媒体との接触を抑制することができる。これにより、磁気ヘッドスライダの故障や磁気記憶媒体の破損を抑制することが可能となる。また、記録再生時における磁気ヘッドスライダの安定した浮上特性が得られるので、磁気ヘッドによる磁気記憶媒体に対する記録再生を精度良く行うことが可能となる。
【発明の効果】
【００１７】
本明細書に記載のヘッドスライダ及び磁気ヘッドスライダは、ロード時における浮上力を確保し、かつ記録再生時における安定した浮上特性を得ることができるという効果を奏する。また、本明細書に記載の磁気記憶装置は、磁気記憶媒体への高精度な記録再生ができるという効果を奏する。
【発明を実施するための最良の形態】
【００１８】
≪第１の実施形態≫
以下、本発明の第１の実施形態について図１〜図６に基づいて詳細に説明する。
【００１９】
図１は、本第１の実施形態に係る情報記憶装置としてのハードディスクドライブ（ＨＤＤ）１００の内部構成を示している。この図１に示すように、ＨＤＤ１００は、ベース１０と、ベース１０上に設けられた３枚の磁気ディスク１２Ａ、１２Ｂ、１２Ｃ、スピンドルモータ１４、ヘッド・スタック・アッセンブリ（ＨＳＡ）２０等と、を備える。なお、ベース１０は、実際には、ベース１０の上面を覆う状態で設けられる上蓋（トップ・カバー）とともに箱型の筺体を構成するが、図１では、図示の便宜上、トップ・カバーの図示を省略している。
【００２０】
磁気ディスク１２Ａ〜１２Ｃは、表面と裏面のそれぞれが記録面となっており、各磁気ディスクは、スピンドルモータ１４によって、その回転軸回りに一体となって、例えば４２００ｒｐｍ〜１５０００ｒｐｍなどの高速度で回転駆動される。
【００２１】
ＨＳＡ２０は、支軸１８に対して回転自在に連結され、ボイスコイルモータ２４により支軸１８を中心とした揺動が実現される。このＨＳＡ２０は、６本のヘッド・アーム２６と、各ヘッド・アーム２６の先端部に取り付けられた６つのヘッドジンバルアッセンブリ（ＨＧＡ）３０と、を有している。
【００２２】
ヘッド・アーム２６は、平面視（上方から見て）略二等辺三角形状の形状を有し、例えばステンレス板を打ち抜き加工したり、アルミニウム材料を押し出し加工することにより成型される。
【００２３】
ＨＧＡ３０は、弾性サスペンション２８と、各弾性サスペンション２８の一端部（支軸１８とは反対側の端部）に設けられた磁気ヘッドスライダ１６と、を有している。
【００２４】
以下、図２（ａ）、図２（ｂ）に基づいて、ＨＧＡ３０の具体的な構成について詳述する。図２（ａ）は、図１における６つのＨＧＡ３０のうち、最上部に位置するＨＧＡ３０を、磁気ヘッドスライダ１６側（裏側）から見た状態を示す斜視図であり、図２（ｂ）は、ＨＧＡ３０の縦断面図である。
【００２５】
これらの図に示すように、ＨＧＡ３０を構成する弾性サスペンション２８は、ヘッド・アーム２６の一端部（支軸１８とは反対側の端部）に固定されたスペーサ３４と、スペーサ３４にその一部が固定されたロードビーム３６と、ロードビーム３６に固定された補強板３８と、を有している。
【００２６】
ロードビーム３６は、例えば、ステンレス鋼から構成されており、図２（ａ）に示すように、その一端部（スペーサ３４が固定されているのとは反対側の端部）近傍には略Ｕ字状のスリット４２が形成されている。このように、スリット４２がロードビーム３６に形成されることにより、ロードビーム３６には、ジンバル４０が一体的に形成される。ジンバル４０は、その一側の面（図２（ａ）における上面、図２（ｂ）における下面）が、磁気ヘッドスライダ１６を保持するためのヘッドスライダ保持面４４とされている。また、ロードビーム３６のうち、補強板３８が固定された部分とスペーサ３４が固定された部分との間に位置する部分が、弾性変形可能なバネ部３６ａとされている。
【００２７】
補強板３８は、例えばステンレス鋼から形成されており、図２（ｂ）に示すように、ジンバル４０と対向する面（図２（ｂ）における下面）の一部には、半球状のピポット４６が設けられている。ピポット４６は、ジンバル４０に対して上側から当接しているため、ジンバル４０は、ピポット４６を支点として上下方向、ピッチ方向、ロール方向に変形することが可能となっている。このため、ジンバル４０によって保持される磁気ヘッドスライダ１６も、同様の方向に姿勢を変更することが可能である。
【００２８】
図１に戻り、ＨＳＡ２０の先端（磁気ヘッドスライダ１６）の移動軌跡上には、ランプ機構（ロードアンロード機構）９０が設けられている。このランプ機構９０は、ＨＳＡ２０が静止位置に位置決めされた状態で、ＨＳＡ２０の先端部を受け止める（保持する）。
【００２９】
次に、磁気ヘッドスライダ１６の構成等について、図３〜図６に基づいて詳述する。
【００３０】
図３（ａ）は、磁気ヘッドスライダ１６を、磁気ディスクに対向する側から見た状態を示す斜視図である。この図３（ａ）に示すように、磁気ヘッドスライダ１６は、ヘッドスライダ５０と、ヘッドスライダ５０の空気流出端５０ｂ側に設けられた磁気ヘッドとしての記録再生ヘッド素子１７とを有している。ヘッドスライダ５０の材料としては、例えば、Ａｌ2Ｏ3・ＴｉＣ（アルティック）を用いることができる。
【００３１】
記録再生ヘッド素子１７としては、例えば、薄膜コイルパターンで生成される磁界を利用して磁気ディスク１２Ａにデータを書き込む記録素子と、スピンバルブ膜やトンネル接合膜の抵抗変化を利用して磁気ディスク１２Ａからデータを読み出す巨大磁気抵抗効果素子（ＧＭＲ）やトンネル接合磁気抵抗効果素子（ＴＭＲ）などの再生素子とから構成される。なお、記録再生ヘッド素子１７が設けられた空気流出端５０ｂには、記録再生ヘッド素子１７を覆うような状態で数十μｍのアルミナ膜が形成されている。
【００３２】
ヘッドスライダ５０は、図３（ａ）における上面部分（磁気ディスクに対向する部分）が、凹凸を有する複雑な形状となっている。この上面部分を構成する高さの異なる各面は、図３（ｂ）に示すように、高い方から順に「＋２レベル」、「＋１レベル」、「０（基準）レベル」の各レベルに位置しているものとする。このうち、０レベルの面は、ベース面８２となっている。また、本第１の実施形態では、例えば、＋２レベルと＋１レベルとの間の寸法がおよそ０．１〜０．３μｍであり、＋２レベルと０レベルとの間の寸法がおよそ３〜５μｍであるものとする。なお、図３等においては、図示及び説明の便宜上、これらの寸法、比率とは必ずしも合致していないものとする。
【００３３】
ヘッドスライダ５０は、図３（ａ）に示すように、空気流入端５０ａ側に配置されたフロントレール５２と、フロントレール５２よりも空気流出端５０ｂ側に配置されたリアレール５４とを有している。これら各レール５２，５４は、元々＋２レベル以上の高さを有していた直方体状の部材（最終的にヘッドスライダ５０になる部材）を、フォトマスクやレジスト等を用いた露光技術によってミリング等することにより形成される。また、各レールの表面には、例えばＤＬＣ（ダイヤモンドライクカーボン）の保護膜が形成されている。
【００３４】
フロントレール５２は、＋２レベルの高さにおいて、ヘッドスライダ５０の幅方向に広がる浮上面としての空気ベアリング表面６２と、＋１レベルの高さに位置するステップ面（６４，６６ａ，６６ｂ）とを有している。ステップ面は、より具体的には、空気ベアリング表面６２の空気流入端５０ａ側に位置するフロントステップ面６４と、空気ベアリング表面６２の空気流出端５０ｂ側に位置する一対のサイドステップ面６６ａ，６６ｂと、を含んでいる。
【００３５】
リアレール５４は、＋２レベルの高さに位置するサイドパッドとしての空気ベアリング表面７６ａ，７６ｂと、空気ベアリング表面７６ａ，７６ｂの空気流入端５０ａ側で、＋１レベルの高さに位置するステップ面７８ａ、７８ｂと、空気ベアリング表面７６ａ，７６ｂの空気流出端５０ｂ側に位置し、その上面が＋１レベルの高さに位置する畝部７４ａ、７４ｂと、畝部７４ａ，７４ｂを連結する、その上面が＋１レベルの高さに位置する連結部７２とを含んでいる。このうち、畝部７４ａ，７４ｂは、ヘッドスライダ５０の空気流出端５０ｂまで延び、連結部７２は、畝部７４ａ，７４ｂの空気流出端側の端部間を連結している。したがって、ヘッドスライダ５０には、畝部７４ａ，７４ｂと連結部７２とによって、略コ字状（Ｕ字状）の＋１レベルの面が形成されているといえる。
【００３６】
また、本第１の実施形態のヘッドスライダ５０においては、連結部７２の長手方向略中央部に、記録再生ヘッド素子１７を保持する磁気へッド保持部７９が設けられている。
【００３７】
以上のように構成される磁気ヘッドスライダ１６では、図１２（ａ）の従来技術と比較して、＋２レベルの面（浮上面（空気ベアリング表面６２，７６ａ，７６ｂ））を広くすることなく、＋１レベルの面を広くすることができる。
【００３８】
以下、上記構成を採用したことによる作用について説明する。
【００３９】
図４には、従来技術（図１２（ａ））、従来の改善例（図１２（ｂ））、本実施形態（図３（ａ））の３種類のヘッドスライダにおける、ディスクうねりに対する浮上変化量がグラフにて示されている。このディスクうねりに対する浮上変化量は、その値が小さいほどディスクうねりへの追従性が良いことを意味するものである。
【００４０】
この図４に示すように、従来の改善例（図１２（ｂ））では、＋２レベルの面を広くしているため、従来技術（図１２（ａ））と比較して、３０〜４０％程度ディスクうねりに対する浮上変化量が増加している。しかしながら、本実施形態の構成（図３（ａ））を採用した場合には、＋２レベルの面を広くしていないので、従来技術とほぼ同一（増加したとしても５％程度）の浮上変化量を達成することが可能である。
【００４１】
また、図５には、従来技術（図１２（ａ））と本実施形態（図３（ａ））のヘッドスライダにおけるロード時接触マージンがグラフにて示されている。この図５における「ロード時接触マージン」とは、ロード時の磁気ヘッドスライダ１６の浮上姿勢の解析に関して、浮上姿勢に関係する複数のパラメータ（例えば、ＰＳＡ（図２（ｂ）の紙面直交方向回りの傾き）、ＲＳＡ（図２（ｂ）の紙面左右方向回りの傾き））、ロード速度など）を変化させた際に、磁気ヘッドスライダ１６とディスクとの衝突が起こらないようなパラメータ条件の範囲をいう。したがって、このロード時接触マージンが大きいほど、磁気ディスクと磁気ヘッドスライダとの接触可能性が低いことを意味する。
【００４２】
この図５に示すように、本実施形態のヘッドスライダ５０は、従来技術のヘッドスライダよりも、磁気ディスクとの接触可能性が低くなっていることがわかる。このように、本実施形態においてロード時接触マージンが大きくなるのは、＋２レベルと＋１レベルの面（特に＋１レベルの面）が従来技術よりも広く設定されているからである。すなわち、本実施形態では、ロード時におけるスクイーズ効果が生じる面積（図６（ａ）参照）を、従来技術の場合（図６（ｂ）参照）よりも広く確保することができ、これによる空気抵抗の増加により、ロード時の浮上力を大きく確保することができるからである。
【００４３】
このように、本実施形態では、図４に示すように、ディスクうねりに対する浮上変化量を維持したまま、図５に示すように、ロード時接触マージンを大きくとる（磁気ディスクとの接触可能性を小さくする）ことが可能である。
【００４４】
以上詳細に説明したように、本第１の実施形態によると、＋１レベルの高さの一対の畝部７４ａ，７４ｂが、空気ベアリング表面７６ａ，７６ｂからヘッドスライダ５０の流出側の端部まで連通して形成され、当該一対の畝部７４ａ，７４ｂの流出側の端部間が、＋１レベルの面を含む連結部７２により連結されているので、一対の畝部７４ａ，７４ｂと連結部７２とにより、＋１レベルの面を広く確保することができる。これにより、磁気ヘッドスライダ１６が、磁気ディスク上にロードされるときの浮上力を従来よりも大きく確保することができるので、磁気ヘッドスライダ１６と磁気ディスクとの接触を抑制し、磁気ヘッドスライダ１６や磁気ディスクの損傷を抑制することが可能である。また、＋２レベルの面を増やして浮上力を得るということをしないので、浮上状態での圧力の増大を抑制することができ、安定した浮上特性を得ることができる。これにより、磁気ディスクに対する高精度な記録・再生を実現することが可能である。
【００４５】
≪第２の実施形態≫
次に、本発明の第２の実施形態について、図７及び図８に基づいて説明する。この第２の実施形態に係るＨＤＤは、磁気ヘッドスライダ（特に、ヘッドスライダ）の構成が異なるのみであり、その他の構成等については、上記第１の実施形態と同一である。したがって、ここでは、磁気ヘッドスライダの構成等についての説明のみを行うものとし、その他の構成等についての説明は省略するものとする。
【００４６】
図７に示すように、本第２の実施形態の磁気ヘッドスライダ１１６は、連結部７２の一部に形成された磁気ヘッド保持部７９’が、第１の実施形態の磁気ヘッドスライダ１６の磁気ヘッド保持部７９よりも大きく設定されている点に特徴を有している。
【００４７】
この場合、概念的には、連結部７２が、図８に示すように略Ｔ字状の＋１レベルの面を有しており、当該連結部７２の上面略中央部に＋２レベルの面を有する磁気ヘッド保持部７９’が設けられているということができる。ただし、ヘッドスライダ上の凹凸は、実際にはミリングにより切削形成されるので、図８の概念図のような分割された構成とはなっていない。
【００４８】
以上説明したように、本第２の実施形態のような構成を採用しても、＋１レベルの面を、上記第１の実施形態とほぼ同一の広さだけ確保することができるので、上記第１の実施形態と同様の効果を得ることが可能である。
【００４９】
≪第３の実施形態≫
次に、本発明の第３の実施形態について、図９に基づいて説明する。この第３の実施形態においても、磁気ヘッドスライダ（特に、ヘッドスライダ）の構成が異なるのみである。したがって、以下においては、磁気ヘッドスライダの構成等についての説明のみを行うものとする。
【００５０】
図９に示すように、本第３の実施形態の磁気ヘッドスライダ２１６は、第２の実施形態の磁気ヘッドスライダ１１６（図７）と比較して、ステップ面７８ａ，７８ｂが省略されているとともに、空気ベアリング表面７６ａ，７６ｂが＋２レベルの高さを有するパッド連結部としての連結部８１にて連結されている点に特徴を有している。
【００５１】
このような構成を採用しても、上記第２の実施形態と同様の効果を得ることが可能である。また、本第３の実施形態では、ヘッドスライダ５０の空気流出端側に、壁に囲まれた空間８３が配置されるので、当該空間８３内に生じる負圧により、記録・再生状態においても、安定な浮上特性を得ることが可能となる。
【００５２】
なお、上記第３の実施形態では、例えば、図１０に示すように、第１の実施形態と同様の小さめの磁気ヘッド保持部７９を採用することが可能である。このような構成を採用することにより、第１の実施形態と同様の効果を得ることができるとともに、壁に囲まれた空間８３内に生じる負圧により、記録・再生状態においても、安定な浮上特性を得ることが可能となる。
【００５３】
なお、図１１に示すように、例えば、図１０の連結部７２の一部に、＋１レベルよりも低い段差部７２ａ，７２ｂを設けても良い。なお、段差部は、図１１の形状、配置に限られるものではなく、種々の形状、配置を採用することができる。また、段差部は、＋１よりも高い段差部であっても良い。また、段差部は、上記第１〜第３の実施形態で説明した各磁気ヘッドスライダの連結部７２に設けることとしても良い。
【００５４】
なお、上記各実施形態では、畝部７４ａ，７４ｂや連結部７２の高さが、一律＋１レベルの高さである場合について説明したが、０レベルと＋２レベルとの間の高さであれば、種々の高さを採用することが可能である。例えば、畝部や連結部の高さが上記範囲内で徐々に高くなる（又は低くなる）構成を採用することとしても良い。
【００５５】
上述した各実施形態は本発明の好適な実施の例である。但し、これに限定されるものではなく、本発明の要旨を逸脱しない範囲内において種々変形実施可能である。
【図面の簡単な説明】
【００５６】
【図１】第１の実施形態に係るＨＤＤの構成を示す斜視図である。
【図２】図１のＨＳＡの構成を示す図である。
【図３】磁気ヘッドスライダの構成を示す斜視図である。
【図４】従来例、従来の改善例、第１の実施形態についての、ディスクうねりに対する浮上量変化を示すグラフである。
【図５】従来例と第１の実施形態とのロード時接触マージンを示すグラフである。
【図６】第１の実施形態と従来の改善例との浮上力の違いを示す図である。
【図７】第２の実施形態に係る磁気ヘッドスライダの構成を示す斜視図である。
【図８】図７の連結部及び磁気ヘッド保持部を示す図である。
【図９】第３の実施形態に係る磁気ヘッドスライダの構成を示す斜視図である。
【図１０】第３の実施形態の変形例（その１）に係る磁気ヘッドスライダの構成を示す斜視図である。
【図１１】第３の実施形態の変形例（その２）に係る磁気ヘッドスライダの構成を示す斜視図である。
【図１２】従来例及び従来の改善例について示す図である。
【符号の説明】
【００５７】
１２Ａ〜１２Ｃ  磁気ディスク（情報記憶媒体）
１６  磁気ヘッドスライダ
１７  記録再生ヘッド素子（磁気ヘッド）
５０  ヘッドスライダ
７２  連結部
７４ａ，７４ｂ  畝部
７６ａ，７６ｂ  空気ベアリング表面（サイドパッド）
８１  連結部（パッド連結部）
８２  ベース面
１００  ＨＤＤ（情報記憶装置）
【図１】
2010049744.tif 000003
【図２】
2010049744.tif 000004
【図３】
2010049744.tif 000005
【図４】
2010049744.tif 000006
【図５】
2010049744.tif 000007
【図６】
2010049744.tif 000008
【図７】
2010049744.tif 000009
【図８】
2010049744.tif 000010
【図９】
2010049744.tif 000011
【図１０】
2010049744.tif 000012
【図１１】
2010049744.tif 000013
【図１２】
2010049744.tif 000014